(57)【要約】  室内機は、外殻を構成し、空気を吸い込む吸込口が下部に形成され、空気を吹き出す吹出口が上部に形成された筐体と、筐体の内部下方に設けられ、吸込口から吸い込まれた空気を、上部に形成された送風開口から筐体の内部上方に送る送風機と、筐体の内部上方に設けられ、送風機から送られる空気と熱媒体とを熱交換する熱交換器と、筐体の内部下方と内部上方とを区画するファンプレートと、を備え、ファンプレートは、送風機の送風開口を囲むファン接続部と、ファン接続部から上方に延び、送風機から送られる空気を熱交換器側にガイドするガイド部と、を有する。
2020183607.tif 000002
【特許請求の範囲】
【請求項１】
外殻を構成し、空気を吸い込む吸込口が下部に形成され、空気を吹き出す吹出口が上部に形成された筐体と、
前記筐体の内部下方に設けられ、前記吸込口から吸い込まれた空気を、上部に形成された送風開口から前記筐体の内部上方に送る送風機と、
前記筐体の内部上方に設けられ、前記送風機から送られる空気と熱媒体とを熱交換する熱交換器と、
前記筐体の内部下方と内部上方とを区画するファンプレートと、を備え、
前記ファンプレートは、
前記送風機の前記送風開口を囲むファン接続部と、
前記ファン接続部から上方に延び、前記送風機から送られる空気を前記熱交換器側にガイドするガイド部と、を有する
室内機。
【請求項２】
前記熱交換器から流れる水を受けるドレンパンを更に備え、
前記ファンプレートは、
前記ガイド部に接続され、前記ドレンパンが載置される載置部を更に有する
請求項１記載の室内機。
【請求項３】
前記送風機の動作を制御する制御箱を更に備え、
前記制御箱は、
前記ガイド部と前記筐体の一面との間に形成される収納空間に設けられている
請求項１又は２記載の室内機。
【請求項４】
前記制御箱は、
前記ガイド部に対し傾斜している
請求項３記載の室内機。
【請求項５】
前記載置部には、
前記制御箱が挿入される切欠きが形成されている
請求項３又は４記載の室内機。
【請求項６】
前記ファンプレートは、
前記筐体の複数箇所において支持されている
請求項１〜５のいずれか１項に記載の室内機。
【発明の詳細な説明】
【技術分野】
【０００１】
本発明は、筐体の内部下方と内部上方とを区画するファンプレートを備える室内機に関する。
【背景技術】
【０００２】
従来、空気調和機の室内機として、筐体の内部下方と内部上方とを区画するファンプレートを備える室内機が知られている。特許文献１には、ケーシングの内部にファンと熱交換用コイルとが設けられた床置き形の空調用室内機が開示されている。特許文献１において、ファンはケーシングの内部下方に設けられ、熱交換用コイルはケーシングの内部上方に設けられている。そして、ケーシングの内部下方と内部上方とは、ファンプレートに相当する仕切板で区画されている。
【先行技術文献】
【特許文献】
【０００３】
【特許文献１】特開平１１−２８１０８１号公報
【発明の概要】
【発明が解決しようとする課題】
【０００４】
しかしながら、特許文献１に開示された空調用室内機は、ケーシングの内部において、ファンの送風開口と熱交換器との距離が近い。このため、ファンによって送られる空気が、ファンの送風開口から吹き出された後、直ちに熱交換器に当たる。即ち、ファンの送風開口から吹き出された空気が整流されることなく、熱交換器に当たる。従って、熱交換器における熱交換効率が低下する。【０００５】
本発明は、上記のような課題を解決するためになされたもので、熱交換器における熱交換効率を向上させる室内機を提供するものである。
【課題を解決するための手段】
【０００６】
本発明に係る室内機は、外殻を構成し、空気を吸い込む吸込口が下部に形成され、空気を吹き出す吹出口が上部に形成された筐体と、筐体の内部下方に設けられ、吸込口から吸い込まれた空気を、上部に形成された送風開口から筐体の内部上方に送る送風機と、筐体の内部上方に設けられ、送風機から送られる空気と熱媒体とを熱交換する熱交換器と、筐体の内部下方と内部上方とを区画するファンプレートと、を備え、ファンプレートは、送風機の送風開口を囲むファン接続部と、ファン接続部から上方に延び、送風機から送られる空気を熱交換器側にガイドするガイド部と、を有する。
【発明の効果】
【０００７】
本発明によれば、ファンプレートが、送風機から送られる空気を熱交換器側にガイドするガイド部を有し、ガイド部は、ファン接続部から上方に延びている。このため、送風機の送風開口と熱交換器との間に距離があり、送風機から送られる空気は、熱交換器に達するまでに整流される。このように、整流された空気が熱交換器に当たるため、室内機は、熱交換器における熱交換効率を向上させることができる。
【図面の簡単な説明】
【０００８】
【図１】本発明の実施の形態１に係る空気調和機を示す回路図である。
【図２】本発明の実施の形態１に係る室内機を示す前面斜視図である。
【図３】本発明の実施の形態１に係る室内機を示す背面斜視図である。
【図４】本発明の実施の形態１に係る室内機の前面パネルを外した状態を示す斜視図である。
【図５】本発明の実施の形態１に係る室内機の前面パネルを外した状態を示す正面図である。
【図６】本発明の実施の形態１に係る室内機を示す側面断面図である。
【図７】本発明の実施の形態１に係る室内機を示す側面断面図である。
【図８】本発明の実施の形態１に係る送風機及びファンプレートを示す斜視図である。
【図９】本発明の実施の形態１に係るファンプレートを示す斜視図である。
【図１０】本発明の実施の形態１に係るファンプレートを示す側面図である。
【図１１】本発明の実施の形態１に係る制御箱を示す斜視図である。
【発明を実施するための形態】
【０００９】
以下、本発明に係る室内機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は本発明を限定するものではない。方向を表す用語としては、例えば、「上」、「下」、「右」、「左」、「前」又は「後」等が挙げられる。
【００１０】
実施の形態１．
図１は、本発明の実施の形態１に係る空気調和機１を示す回路図である。空気調和機１は、室内の空気を調整する装置であり、図１に示すように、室外機２と、室内機３とを備えている。室外機２には、例えば圧縮機６、流路切替装置７、室外熱交換器８、室外送風機９及び膨張部１０が設けられている。室内機３には、例えば熱交換器１１及び送風機１２が設けられている。
【００１１】
圧縮機６、流路切替装置７、室外熱交換器８、膨張部１０及び熱交換器１１が熱媒体配管５により接続されて熱媒体回路４が構成されている。圧縮機６は、低温且つ低圧の状態の熱媒体を吸入し、吸入した熱媒体を圧縮して高温且つ高圧の状態の熱媒体にして吐出するものである。流路切替装置７は、熱媒体回路４において熱媒体が流れる方向を切り替えるものであり、例えば四方弁である。室外熱交換器８は、例えば室外空気と熱媒体との間で熱交換するものである。室外熱交換器８は、冷房運転時には凝縮器として作用し、暖房運転時には蒸発器として作用する。室外送風機９は、室外熱交換器８に室外空気を送る機器である。
【００１２】
膨張部１０は、熱媒体を減圧して膨張する減圧弁又は膨張弁である。膨張部１０は、例えば開度が調整される電子式膨張弁である。熱交換器１１は、例えば室内空気と熱媒体との間で熱交換するものである。熱交換器１１は、冷房運転時には蒸発器として作用し、暖房運転時には凝縮器として作用する。送風機１２は、熱交換器１１に室内空気を送る機器である。なお、熱媒体は、水でもよく不凍液でもよく冷媒でもよい。
【００１３】
（運転モード、冷房運転）
次に、空気調和機１の運転モードについて説明する。先ず、冷房運転について説明する。冷房運転において、圧縮機６に吸入された熱媒体は、圧縮機６によって圧縮されて高温且つ高圧のガス状態で吐出する。圧縮機６から吐出された高温且つ高圧のガス状態の熱媒体は、流路切替装置７を通過して、凝縮器として作用する室外熱交換器８に流入し、室外熱交換器８において、室外送風機９によって送られる室外空気と熱交換されて凝縮して液化する。凝縮された液状態の熱媒体は、膨張部１０に流入し、膨張部１０において膨張及び減圧されて低温且つ低圧の気液二相状態の熱媒体となる。そして、気液二相状態の熱媒体は、蒸発器として作用する熱交換器１１に流入し、熱交換器１１において、送風機１２によって送られる室内空気と熱交換されて蒸発してガス化する。このとき、室内空気が冷やされ、室内において冷房が実施される。蒸発した低温且つ低圧のガス状態の熱媒体は、流路切替装置７を通過して、圧縮機６に吸入される。
【００１４】
（運転モード、暖房運転）
次に、暖房運転について説明する。暖房運転において、圧縮機６に吸入された熱媒体は、圧縮機６によって圧縮されて高温且つ高圧のガス状態で吐出する。圧縮機６から吐出された高温且つ高圧のガス状態の熱媒体は、流路切替装置７を通過して、凝縮器として作用する熱交換器１１に流入し、熱交換器１１において、送風機１２によって送られる室内空気と熱交換されて凝縮して液化する。このとき、室内空気が暖められ、室内において暖房が実施される。凝縮された液状態の熱媒体は、膨張部１０に流入し、膨張部１０において膨張及び減圧されて低温且つ低圧の気液二相状態の熱媒体となる。そして、気液二相状態の熱媒体は、蒸発器として作用する室外熱交換器８に流入し、室外熱交換器８において、室外送風機９によって送られる室外空気と熱交換されて蒸発してガス化する。蒸発した低温且つ低圧のガス状態の熱媒体は、流路切替装置７を通過して、圧縮機６に吸入される。
【００１５】
（室内機３）
図２は、本発明の実施の形態１に係る室内機３を示す前面斜視図であり、図３は、本発明の実施の形態１に係る室内機３を示す背面斜視図である。次に、室内機３について詳細に説明する。室内機３は、例えば室内の床に載置される床置き形の室内機３である。なお、室内機３は、壁に取り付けられる壁掛け形の室内機３であってもよい。
【００１６】
（脚部１５）
室内機３は、図２及び図３に示すように、一対の脚部１５と、外郭を構成する筐体２０と、断熱材２８とを有している。一対の脚部１５は、筐体２０の幅方向の両端下部に着脱自在に取り付けられており、床に載置されて、筐体２０を支持する。これにより、筐体２０と床との間には、隙間１５ａが形成される。なお、一対の脚部１５は、３つ以上設けられてもよい。
【００１７】
（筐体２０）
筐体２０は、幅方向に延びる直方体状をなしており、前面パネル２１と、背面パネル２２と、２個の側面パネル２３と、天面パネル２４とを有している。前面パネル２１は、筐体２０の前面において複数のパネルが並べられて構成されており、下部パネル２５、一側部パネル２６及び上部パネル２７を有している。下部パネル２５は、筐体２０の内部に収納される送風機１２を覆うものである（図４参照）。一側部パネル２６は、下部パネル２５の上方に配置され、電装品を収納する電気品箱を覆うものである（図４参照）。一側部パネル２６には、例えば３個の一側部取付孔２６ａが形成されている。なお、一側部取付孔２６ａの個数は適宜変更される。
【００１８】
上部パネル２７は、正面視においてＬ字状をなしている。上部パネル２７の下部は、下部パネル２５の上方且つ一側部パネル２６の側方に配置され、熱交換器１１の下方に設けられるドレンパン４０を覆うものである（図４参照）。上部パネル２７の下部には、例えば２個の他側部取付孔２７ａが形成されている。なお、他側部取付孔２７ａの個数は適宜変更される。上部パネル２７の上部は、一側部パネル２６の上方に配置され、筐体２０の内部に配置される熱交換器１１を覆うものである（図４参照）。下部パネル２５及び一側部パネル２６は、各側面パネル２３にネジ等により固定されている。上部パネル２７は、側面パネル２３及び天面パネル２４にネジ等により固定されている。背面パネル２２は、筐体２０の背面において複数のパネルが並べられて構成されている。背面パネル２２の中央付近には、例えば５個の背面取付孔２２ａが形成されている。なお、背面取付孔２２ａの個数は適宜変更される。
【００１９】
２個の側面パネル２３は、幅方向の両端部を覆うものであり、筐体２０内部に設けられる機器を設置する架台として機能する。各側面パネル２３の下端部には、脚部１５がネジ等により固定されている。それぞれの側面パネル２３は、背面パネル２２側に設けられる例えば２個の側面取付金具２３ａを有している。側面取付金具２３ａは、室内機３を室内の壁等に固定する際に使用される。なお、側面取付金具２３ａは、本実施の形態１のように室内機３が床置き形として使用される場合、取り外されてもよい。
【００２０】
一方の側面パネル２３には、筐体２０内に生じた水分を筐体２０の外部に排出するドレン孔２３ｂが形成されている。また、一方の側面パネル２３には、室外機２から熱交換器１１に流入する熱媒体が流れる熱媒体配管５の配管入口２３ｃ及び室外機２に流出する熱媒体が流れる熱媒体配管５の配管出口２３ｄが形成されている。なお、側面パネル２３の配管入口２３ｃ及び配管出口２３ｄが形成された部分には、配管カバー２３ｆが取り付けられている。更に、２個の側面パネル２３の中央前面側付近には、それぞれ例えば１個の側面取付孔２３ｅが形成されている。なお、側面取付孔２３ｅの個数は適宜変更される。天面パネル２４は、筐体２０の上部を構成する枠状の部材であり、空気を吹き出す吹出口２０ａが形成されている。天面パネル２４は、吹出口２０ａの縁部から上方に延びる天面延長部２４ａを有している。なお、筐体２０の下部には、空気を吸い込む吸込口２０ｂが形成されている。
【００２１】
（断熱材２８）
断熱材２８は、筐体２０の内部を断熱するものであり、矩形状をなしている。断熱材２８は、上部パネル２７の上部にネジによって固定されている。
【００２２】
（筐体２０内部に設けられた機器）
図４は、本発明の実施の形態１に係る室内機３の前面パネル２１を外した状態を示す斜視図であり、図５は、本発明の実施の形態１に係る室内機３の前面パネル２１を外した状態を示す正面図である。図６は、本発明の実施の形態１に係る室内機３を示す側面断面図であり、図５のＡ−Ａ断面図である。図７は、本発明の実施の形態１に係る室内機３を示す側面断面図であり、図５のＢ−Ｂ断面図である。次に、筐体２０内部に設けられた機器について説明する。図４〜図７に示すように、室内機３は、ファンガード３０と、送風機１２と、熱交換器１１と、ドレンパン４０と、ファンプレート５０と、制御箱９０とを備えている。
【００２３】
（ファンガード３０）
ファンガード３０は、図４に示すように、筐体２０の底面において、一方の側面パネル２３から他方の側面パネル２３にかけて設けられている。ファンガード３０は、吸込口２０ｂを覆うものであり、人の手指が吸込口２０ｂを介して送風機１２に接触することを抑制する。
【００２４】
（送風機１２）
図８は、本発明の実施の形態１に係る送風機１２及びファンプレート５０を示す斜視図である。図４〜図７に示すように、送風機１２は、筐体２０の内部下方に設けられ、例えばシロッコファンからなる。図８に示すように、送風機１２は、筐体２０の幅方向に例えば４個並べられており、空気が吹き出される送風開口１２ａが、上部に形成されている。４個の送風機１２は、ファンプレート５０によって接続されており、ファンプレート５０が側面パネル２３及び背面パネル２２に取り付けられることによって、ファンプレート５０を介して筐体２０に支持されている。
【００２５】
なお、送風機１２を回転駆動するモータ１２ｂは、送風機１２同士の間に設けられている。送風機１２は、モータ１２ｂによって羽根が回転することによって気流を発生させ、筐体２０の吸込口２０ｂから吸い込まれた空気を、送風開口１２ａから、熱交換器１１が設けられている筐体２０の内部上方に送る。なお、本実施の形態１では、送風機１２が４個設けられている場合について例示しているが、送風機１２は１個〜３個設けられてもよいし、５個以上設けられてもよい。
【００２６】
（熱交換器１１）
図４〜図７に示すように、熱交換器１１は、筐体２０の内部上方に設けられ、筐体２０の幅方向に延在している。熱交換器１１は、例えばプレートフィンチューブ型熱交換器からなり、複数のフィンが幅方向に並べられ、幅方向に延びる複数の伝熱管がフィンを貫く構造を有している。熱交換器１１の一方の側面パネル２３側において、伝熱管は、配管入口２３ｃ及び配管出口２３ｄに接続されている。熱交換器１１は、伝熱管内に流れる熱媒体と、送風機１２から送られる空気との間で熱交換を行う。図６及び図７に示すように、熱交換器１１は、筐体２０とドレンパン４０とによって支持されている。熱交換器１１は、筐体２０の上下方向に対し傾斜している。具体的に、熱交換器１１は、上方から下方にかけて、背面パネル２２側から前面パネル２１側に傾斜している。これにより、送風機１２から送られる空気が、熱交換器１１の全体に当たり易くなる。
【００２７】
（ドレンパン４０）
図４〜図７に示すように、ドレンパン４０は、熱交換器１１の下部を支持するものであり、熱交換器１１から流れる水を受ける。ドレンパン４０は、筐体２０の幅方向に延びており、両端部が２個の側面パネル２３に固定されている。ドレンパン４０は、ファンプレート５０に載置される。ドレンパン４０は、他方の側面パネル２３側から一方の側面パネル２３側にかけて下方傾斜している。これにより、ドレンパン４０に落下した水分は、一方の側面パネル２３側に流れていき、一方の側面パネル２３に形成されたドレン孔２３ｂを通って筐体２０の外部に排出される。
【００２８】
（ファンプレート５０）
図９は、本発明の実施の形態１に係るファンプレート５０を示す斜視図であり、図１０は、本発明の実施の形態１に係るファンプレート５０を示す側面図である。図６及び図７に示すように、ファンプレート５０は、筐体２０の内部下方と内部上方とを区画するものである。図８〜図１０に示すように、ファンプレート５０は、ファン接続部６０と、ガイド部７０と、載置部８０とを有している。ファンプレート５０は、一枚の板状部材が曲げ加工されることによって、製造されている。
【００２９】
（ファン接続部６０）
ファン接続部６０は、送風機１２の送風開口１２ａを囲む板状の部材である。ファン接続部６０は、筐体２０の幅方向に延びており、４個の送風機１２の送風開口１２ａ側がそれぞれ挿入される４個の接続開口６１が形成されている。送風機１２の送風開口１２ａ側がファン接続部６０に挿入されて固定されることにより、送風機１２はファンプレート５０に支持される。なお、接続開口６１の個数は、送風機１２の個数によって適宜変更される。
【００３０】
また、ファン接続部６０は、筐体２０の幅方向の両端部から送風機１２側に突出する２個の第１の接続フランジ部６２を有している。２個の第１の接続フランジ部６２は、ファンプレート５０が筐体２０に取り付けられる際、それぞれ筐体２０の両側面パネル２３に当たる。
【００３１】
ファン接続部６０は、筐体２０の奥行方向の端部のうち、ガイド部７０とは反対側の背面側の端部から送風機１２側且つ背面側に傾斜して突出する第２の接続フランジ部６３を有している。第２の接続フランジ部６３は、ファンプレート５０が筐体２０に取り付けられる際、筐体２０の背面パネル２２に当たる。第２の接続フランジ部６３には、例えば５個の第２の接続取付孔６３ａが形成されている。５個の第２の接続取付孔６３ａと、背面パネル２２に形成された５個の背面取付孔２２ａとに、ネジ等が挿入されて螺合されることによって、ファン接続部６０が背面パネル２２に支持される。なお、第２の接続取付孔６３ａの個数は、背面取付孔２２ａの個数によって適宜変更される。第２の接続フランジ部６３の突出長さは、第１の接続フランジ部６２の突出長さと同等である。なお、第２の接続フランジと第１の接続フランジ部６２とは連続して設けられておらず、第２の接続フランジと第１の接続フランジ部６２との間には隙間６４が形成されている。
【００３２】
（ガイド部７０）
ガイド部７０は、ファン接続部６０における筐体２０の奥行方向の端部のうち、第２の接続フランジ部６３とは反対側の前面側の端部から上方に延びる板状の部材である。ガイド部７０は、筐体２０の幅方向に延びており、ガイド部７０の長さは、ファン接続部６０の長さと同等である。ガイド部７０は、ファン接続部６０から距離Ｌだけ上方に延びているため、送風機１２の送風開口１２ａと熱交換器１１との間に距離があく（図６参照）。このため、送風機１２の送風開口１２ａから吹き出される空気は、熱交換器１１に達するまでに整流される。このように、整流された空気が熱交換器１１に当たるため、室内機３は、熱交換器１１における熱交換効率を向上させることができる。
【００３３】
ガイド部７０には、例えば４個のガイド取付孔７０ａが形成されている。４個のガイド取付孔７０ａは、制御箱９０がガイド部７０に取り付けられる際に使用される。なお、ガイド取付孔７０ａの個数は適宜変更される。また、ガイド部７０は、筐体２０の幅方向の両端部から前面側に突出する２個のガイドフランジ部７１を有している。２個のガイドフランジ部７１は、ファンプレート５０が筐体２０に取り付けられる際、それぞれ筐体２０の両側面パネル２３に当たる。なお、ガイドフランジ部７１の突出長さは、第１の接続フランジ部６２の突出長さ及び第２の接続フランジ部６３の突出長さと同等である。
【００３４】
（載置部８０）
載置部８０は、ガイド部７０における筐体２０の奥行方向の端部のうち、ファン接続部６０とは反対側の前面側の端部に接続され、前面側に延びる板状の部材である。筐体２０の幅方向において、載置部８０の長さは、ファン接続部６０の長さ及びガイド部７０の長さと同等である。載置部８０には、図６に示すように、ドレンパン４０が載置されており、載置部８０は、ドレンパン４０を支持している。ドレンパン４０がファンプレート５０の載置部８０に載置されることにより、ドレンパン４０の安定性が向上する。載置部８０には、図８に示すように、制御箱９０が挿入される切欠き８１が形成されている。切欠き８１は、載置部８０のうち、一方の側面パネル２３側に寄った位置において、筐体２０の幅方向に延びるように形成されている。また、載置部８０の一方の側面パネル２３側の端部には、切欠き８１よりも小さい配線切り欠き８２が形成されている。配線切り欠き８２の内部には、制御箱９０に接続された配線９２が挿入される（図４及び図５参照）。
【００３５】
載置部８０は、筐体２０の幅方向の両端部から送風機１２側に突出する２個の第１の載置フランジ部８３を有している。２個の第１の載置フランジ部８３は、ファンプレート５０が筐体２０に取り付けられる際、それぞれ筐体２０の両側面パネル２３に当たる。また、２個の第１の載置フランジ部８３には、それぞれ例えば１個の第１の載置取付孔８３ａが形成されている。それぞれ１個の第１の載置取付孔８３ａと、各側面パネル２３に形成されたそれぞれ１個の側面取付孔２３ｅとに、ネジ等が挿入されて螺合されることによって、載置部８０が側面パネル２３に支持される。なお、第１の載置取付孔８３ａの個数は、側面取付孔２３ｅの個数によって適宜変更される。第１の載置フランジ部８３の突出長さは、第１の接続フランジ部６２の突出長さ、第２の接続フランジ部６３の突出長さ及びガイドフランジ部７１の突出長さと同等である。
【００３６】
載置部８０は、筐体２０の奥行方向の端部のうち、ガイド部７０とは反対側の前面側の端部から送風機１２側に突出する第２の載置フランジ部８４を有している。第２の載置フランジ部８４は、ファンプレート５０が筐体２０に取り付けられる際、筐体２０の前面パネル２１に当たる。第２の載置フランジ部８４には、例えば２個の第２の載置取付孔８４ａが形成されている（図４及び図５参照）。２個の第２の載置取付孔８４ａと、前面パネル２１の上部パネル２７に形成された２個の他側部取付孔２７ａとに、ネジ等が挿入されて螺合されることによって、載置部８０が前面パネル２１の上部パネル２７に支持される。なお、第２の載置取付孔８４ａの個数は、他側部取付孔２７ａの個数によって適宜変更される。このように、ファンプレート５０は、筐体２０の複数箇所において支持されているため、ファンプレート５０の安定性が向上する。図１０に示すように、第２の載置フランジ部８４の突出長さは、第１の載置フランジ部８３の突出長さよりも長い。
【００３７】
（制御箱９０）
図１１は、本発明の実施の形態１に係る制御箱９０を示す斜視図である。制御箱９０は、送風機１２に接続され、送風機１２の動作を制御する制御基板９１が内部に設けられた箱体である（図４及び図５参照）。制御基板９１には、複数の電子部品が実装されており、配線９２が接続されている。一部の配線９２は、前述の如く、ファンプレート５０の載置部８０の配線切り欠き８２を通って熱交換器１１に接続される。また、一部の配線９２は、モータ１２ｂに接続される。
【００３８】
図１１に示すように、制御箱９０は、筐体２０の幅方向に延びる箱体であり、上部から下部にかけて筐体２０の奥行方向の長さが長くなる。ここで、図８に示すように、制御箱９０の上部は、ファンプレート５０の載置部８０の切欠き８１に挿入されて、ファンプレート５０から突出する。これにより、図７に示す収納空間２９の高さが制御箱９０の高さより低くても、制御箱９０を収納空間２９に収納することができる。また、制御箱９０の上部には、３個の第１の制御取付孔９０ａが形成されている。３個の第１の制御取付孔９０ａと、前面パネル２１の一側部パネル２６に形成された３個の一側部取付孔２６ａ（図２参照）とに、ネジ等が挿入されて螺合されることによって、制御箱９０が前面パネル２１の一側部パネル２６に支持される。なお、第１の制御取付孔９０ａの個数は、一側部取付孔２６ａの個数によって適宜変更される。
【００３９】
制御箱９０の両側面には、筐体２０の背面側に延びる制御取付金具９３がそれぞれ設けられている。２個の制御取付金具９３には、第２の制御取付孔９３ａがそれぞれ２個形成されている。合計４個の第２の制御取付孔９３ａと、ファンプレート５０のガイド部７０に形成された４個のガイド取付孔７０ａ（図９参照）とに、ネジ等が挿入されて螺合されることによって、制御箱９０がファンプレート５０のガイド部７０に取り付けられる。なお、第２の制御取付孔９３ａの個数は、ガイド取付孔７０ａの個数によって適宜変更される。
【００４０】
ここで、図７を用いて、筐体２０の内部に形成された収納空間２９について説明する。図７に示すように、ファンプレート５０のガイド部７０と筐体２０の前面パネル２１との間には、収納空間２９が形成されている。そして、制御箱９０は、収納空間２９に設けられている。その際、制御箱９０は、前面パネル２１の一側部パネル２６に覆われる（図２参照）。本実施の形態１は、ファンプレート５０のガイド部７０がファン接続部６０から上方に延びているため、ガイド部７０と筐体２０の前面パネル２１との間に余剰空間である収納空間２９が形成される。制御箱９０が収納空間２９に設けられることにより、制御箱９０が筐体２０の外部に設けられる必要がない。従って、室内の限られた空間に筐体２０が設置される上で、筐体２０の大きさを最大限大きくすることができる。なお、収納空間２９は、ガイド部７０と筐体２０の前面パネル２１との間に形成されるだけでなく、ガイド部７０と筐体２０のいずれかの一面との間に形成されればよい。
【００４１】
また、本実施の形態１において、制御箱９０は、ガイド部７０に対し傾斜している。これにより、収納空間２９の高さが制御箱９０の高さより低くても、制御箱９０の高さの分を奥行方向の長さが負担するため、容積を確保しつつ、制御箱９０の高さを収納空間２９の高さに収めることができる。なお、制御箱９０は、制御箱９０の制御基板９１が前面下方を向くようにガイド部７０に対し傾斜している。これにより、制御基板９１に塵埃が落下して滞留することを抑制している。
【００４２】
本実施の形態１によれば、ファンプレート５０が、送風機１２から送られる空気を熱交換器１１側にガイドするガイド部７０を有し、ガイド部７０は、ファン接続部６０から上方に距離Ｌだけ延びている。このため、送風機１２の送風開口１２ａと熱交換器１１との間に距離があり、送風機１２から送られる空気は、熱交換器１１に達するまでに整流される。このように、整流された空気が熱交換器１１に当たるため、室内機３は、熱交換器１１における熱交換効率を向上させることができる。また、ファンプレート５０は、一枚の板状部材が曲げ加工されることによって、製造されている。このように、板状部材を曲げ加工するのみで、制御箱９０を収納する収納空間２９を形成することができる。従って、製造コストを削減することができる。
【符号の説明】
【００４３】
１  空気調和機、２  室外機、３  室内機、４  熱媒体回路、５  熱媒体配管、６  圧縮機、７  流路切替装置、８  室外熱交換器、９  室外送風機、１０  膨張部、１１  熱交換器、１２  送風機、１２ａ  送風開口、１２ｂ  モータ、１５  脚部、１５ａ  隙間、２０  筐体、２０ａ  吹出口、２０ｂ  吸込口、２１  前面パネル、２２  背面パネル、２２ａ  背面取付孔、２３  側面パネル、２３ａ  側面取付金具、２３ｂ  ドレン孔、２３ｃ  配管入口、２３ｄ  配管出口、２３ｅ  側面取付孔、２３ｆ  配管カバー、２４  天面パネル、２４ａ  天面延長部、２５  下部パネル、２６  一側部パネル、２６ａ  一側部取付孔、２７  上部パネル、２７ａ  他側部取付孔、２８  断熱材、２９  収納空間、３０  ファンガード、４０  ドレンパン、５０  ファンプレート、６０  ファン接続部、６１  接続開口、６２  第１の接続フランジ部、６３  第２の接続フランジ部、６３ａ  第２の接続取付孔、６４  隙間、７０  ガイド部、７０ａ  ガイド取付孔、７１  ガイドフランジ部、８０  載置部、８１  切欠き、８２  配線切り欠き、８３  第１の載置フランジ部、８３ａ  第１の載置取付孔、８４  第２の載置フランジ部、８４ａ  第２の載置取付孔、９０  制御箱、９０ａ  第１の制御取付孔、９１  制御基板、９２  配線、９３  制御取付金具、９３ａ  第２の制御取付孔。
【図１】
2020183607.tif 000003
【図２】
2020183607.tif 000004
【図３】
2020183607.tif 000005
【図４】
2020183607.tif 000006
【図５】
2020183607.tif 000007
【図６】
2020183607.tif 000008
【図７】
2020183607.tif 000009
【図８】
2020183607.tif 000010
【図９】
2020183607.tif 000011
【図１０】
2020183607.tif 000012
【図１１】
2020183607.tif 000013
【手続補正書】
【提出日】令和3年3月26日(2021.3.26)
【手続補正１】
【補正対象書類名】明細書
【補正対象項目名】０００６
【補正方法】変更
【補正の内容】
【０００６】
本発明に係る室内機は、外殻を構成し、空気を吸い込む吸込口が下部に形成され、空気を吹き出す吹出口が上部に形成された筐体と、筐体の内部下方に設けられ、吸込口から吸い込まれた空気を、上部に形成された送風開口から筐体の内部上方に送る送風機と、筐体の内部上方に設けられ、送風機から送られる空気と熱媒体とを熱交換する熱交換器と、筐体の内部下方と内部上方とを区画するファンプレートと、送風機の動作を制御する制御箱と、を備え、ファンプレートは、送風機の送風開口を囲むファン接続部と、ファン接続部から上方に延び、送風機から送られる空気を熱交換器側にガイドするガイド部と、ガイド部に接続され、部品が載置される載置部と、を有し、制御箱は、ガイド部と筐体の一面との間に形成される収納空間に設けられており、載置部には、制御箱が挿入される切欠きが形成されている。
【手続補正２】
【補正対象書類名】特許請求の範囲
【補正対象項目名】全文
【補正方法】変更
【補正の内容】
【特許請求の範囲】
【請求項１】
外殻を構成し、空気を吸い込む吸込口が下部に形成され、空気を吹き出す吹出口が上部に形成された筐体と、
前記筐体の内部下方に設けられ、前記吸込口から吸い込まれた空気を、上部に形成された送風開口から前記筐体の内部上方に送る送風機と、
前記筐体の内部上方に設けられ、前記送風機から送られる空気と熱媒体とを熱交換する熱交換器と、
前記筐体の内部下方と内部上方とを区画するファンプレートと、
前記送風機の動作を制御する制御箱と、を備え、
前記ファンプレートは、
前記送風機の前記送風開口を囲むファン接続部と、
前記ファン接続部から上方に延び、前記送風機から送られる空気を前記熱交換器側にガイドするガイド部と、
前記ガイド部に接続され、部品が載置される載置部と、
を有し、
前記制御箱は、
前記ガイド部と前記筐体の一面との間に形成される収納空間に設けられており、
前記載置部には、
前記制御箱が挿入される切欠きが形成されている
室内機。
【請求項２】
前記制御箱は、
前記ガイド部に対し傾斜している
請求項１記載の室内機。
【請求項３】
前記熱交換器から流れる水を受けるドレンパンを更に備え、
前記ファンプレートの前記載置部は、
前記ドレンパンが載置されるものである
請求項１又は２記載の室内機。
【請求項４】
前記ファンプレートは、
前記筐体の複数箇所において支持されている
請求項１〜３のいずれか１項に記載の室内機。
【国際調査報告】
2020183607.tif 000014
2020183607.tif 000015
2020183607.tif 000016
2020183607.tif 000017